(57)【特許請求の範囲】
【請求項１】
筒状部と、該筒状部との間に凹部を各々形成する４つの翼部とが一体に形成され、該筒状部は、同一平面の４方向に伸び出る４つの枢支軸を貫通させる４つの孔を備え、該翼部は、前記枢支軸を貫通させる孔を備え、筒状部の孔と翼部の孔とを連通する枢支軸に取り付ける４本の脚が各々前記凹部を貫通する状態で、該脚の回動が抑止される４つの第１係止部と、４本の脚が回動する他方の抑止位置を決める４つの第２係止部とを有する椅子用金具。
【請求項２】
前記筒状部の孔の周縁の一部および、前記翼部の孔の周縁の一部であって、それぞれ対向する面に凸部を設けることを特徴とする請求項１に記載の椅子用金具。
【請求項３】
筒状部および４つの翼部が一体に形成された椅子用金具と、一部が翼部内に入り込み、該一部に貫通する孔を有する４つの脚と、該脚の一端に四隅近辺を固定するシート部とからなる椅子を組み立てる方法であり、前記椅子用金具には、翼部および筒状部に同一軸を形成するように４対の孔を設け、翼部の孔と筒状部の孔とに整合して前記脚の孔が配置されるように脚を配置し、それぞれの孔を連通するように、外側からリベットを挿入し、筒状部の中央および外側に配置したリベット締着工具により、脚を回動可能に取り付けることを特徴とする椅子の組立て方法。
【発明の詳細な説明】
【０００１】
【発明の属する技術分野】
本発明は、折り畳むことのできる椅子および椅子用金具とその組立て方法に関する。
【０００２】
【従来の技術】
従来は、３本の脚の中央付近を囲うように配置した円輪状金具を使用し、該円輪状金具により、１か所を集合させた状態の３本の脚の上端に、シート部を張り、該シート部が水平に張られるように、前記脚を点対称状に拡げて使用する折り畳み椅子があった。
【０００３】
しかし、このような３本脚の折り畳み椅子では、脚の接地部を頂点とする三角形から、脚の上端が外れるので、シート部にかかる荷重中心が前記三角形の真上から外れると、使用者が転倒するという問題があった。
【０００４】
また、３本の脚が中央付近で回動可能に取り付けられる椅子用金具を使用し、脚を前述と同様に、点対称状に拡げて使用する折り畳み椅子があった。該椅子に使用される椅子用金具には、脚の中央付近に孔を設け、該孔を貫通させたネジにより、３本の脚を取り付けていた。
【０００５】
あるいは、異なる態様として、１本の脚を囲う形状の小金具が３つと、１つの筒状部材とからなる椅子用金具があった。該小金具および脚を貫くように、小金具と脚とに設けた孔を連通するリベットにより脚を小金具に取り付け、該小金具をネジで筒状部材に取り付けていた。または、３つの前記小金具同士を環状に相互に組み立てるだけの椅子用金具もあった。
【０００６】
そこで、３本の脚の椅子に関する転倒しやすい問題を解決するために、４本の脚の椅子を、上記のような小金具を４つ使用して構成しようと考えられた。しかし、４つの小金具同士を相互に組み立てただけの椅子用金具では、小金具同士の構造的関係が、使用時の荷重により歪む。これは、小金具同士を取り付ける点が４か所になるため、４つの取付け点が同一平面を維持できないために発生する。そのため、実用的ではなかった。
【０００７】
このように、小金具同士を組み合わせて椅子用金具を構成する４本の脚の椅子では、椅子の基本である安定性が満足できない。そこで、４本脚のための椅子用金具の理想的な構造が研究されていたが、実際には、やむを得ず３本脚とし、前述のようなネジによる固定方法を選択していた。すなわち、軽量化することを重視し、安定性を犠牲にし、３本脚の椅子が使用されていた。
【０００８】
また、軽量化と加工のしやすさ、コスト的な必要性などから、アルミニウムやアルミ合金が使用されるので、ネジによる取付けは、孔の周囲が減摩しやすい問題があった。また、ネジによる取付け方法では、組立て工数が多いという問題もあった。
【０００９】
【発明が解決しようとする課題】
本発明は、携帯に便利で、安定性がよく、安価で耐久性に優れた椅子および椅子用金具とその組立て方法を提供することを目的とする。
【００１０】
【課題を解決するための手段】
本発明の椅子は、同一平面の４方向に伸び出る４つの枢支軸を備えた椅子用金具と、該枢支軸に回動自在に取り付けられる４本の脚と、該脚の上端に四隅近辺を固定するシート部とからなり、前記椅子用金具は、４本の脚が大体平行に畳まれた状態で、該脚の回動を抑止する４つの第１係止部と、４本の脚が回動する他方の抑止位置を決める４つの第２係止部とを有する。第１係止部は、翼部の面部に設けると好適である。第２係止部は、翼部の下端部に設けると好適である。
【００１１】
前記脚は、入れ子状に折り畳むことができるとよい。
【００１２】
本発明の椅子用金具は、筒状部と、該筒状部との間に凹部を各々形成する４つの翼部とが一体に形成され、該筒状部は、同一平面の４方向に伸び出る４つの枢支軸を貫通させる４つの孔を備え、該翼部は、前記枢支軸を貫通させる孔を備え、筒状部の孔と翼部の孔とを連通する枢支軸に取り付ける４本の脚が大体平行に畳まれ各々前記凹部を貫通する状態で、該脚の回動が抑止される４つの第１係止部と、４本の脚が回動する他方の抑止位置を決める４つの第２係止部とを有する。前記４方向は、互いに直交するのが好ましい。
【００１３】
前記筒状部の孔の周縁の一部および、前記翼部の孔の周縁の一部であって、それぞれ対向する面に凸部を設けるとよい。
【００１４】
本発明の椅子の組立て方法は、筒状部および４つの翼部が一体に形成された椅子用金具と、一部が翼部に入り込み、該一部に貫通孔を有する４つの脚と、該脚の一端に四隅近辺を固定するシート部とからなる椅子を組み立てる方法であり、前記椅子用金具には、翼部および筒状部に同一軸を形成するように４対の孔を設け、翼部の孔と筒状部の孔とに整合して前記脚の孔が配置されるように脚を配置し、それぞれの孔を連通するように、外側からリベットを挿入し、筒状部の中央および外側に配置したリベット締着工具により、脚を回動可能に取り付ける。
【００１５】
【発明の実施の形態】
図を参照して、本発明の椅子の一実施例を説明する。図１は、椅子を使用する状態を示す側面図である。
【００１６】
本発明の椅子は、同一平面の内で互いに直交する方向に伸び出る４つの枢支軸を備えた椅子用金具１と、該椅子用金具１に回動自在に取り付けられる４本の脚と、該脚の一端に四隅近辺を固定するシート部１０とからなる。
【００１７】
脚は、脚上部２および脚下部３からなり、脚下部３は、一端部が脚上部２に入れ子状に挿入され、該挿入部分に設けられた枢支軸（リベット）４により、脚下部３と脚上部２とを折り畳むことができる。折り畳み状態では、脚は使用時の約半分の長さになる。脚下部３の他端には、接地用切欠き部を形成する。該切欠き部には、椅子の安定性を高め、床などを傷付けないように、柔軟な部材を取り付ける。また、脚上部２の他端には、シート部１０を取り付ける構造を有する。また、脚は図示のようにチャンネル形であったり、円筒状であったり、円柱状であってもよい。
【００１８】
図示した実施例では、脚を折り畳む軸を、脚上部２を椅子用金具に取り付ける枢支軸と共用したが、別に設けてもよい。シート部１０の四隅に、脚上部２に取り付ける金具を設けるとよいが、周知技術によるいずれかの方法により取り付けてもよい。
【００１９】
脚上部２および脚下部３と、椅子用金具１は、アルミニウムまたはアルミ合金で形成すると軽量でよい。また、シート部１０は、耐荷重性のよいポリエステルまたはナイロンなどの布でよい。
【００２０】
図２は、椅子用金具の平面図であり、図３は、側面図であり、図４は、図２のＡ−Ａ断面矢視図である。
【００２１】
図示したように、椅子用金具１の筒状部１ｅおよび４つの翼部１ｆには、互いに直交する４方向の枢支軸が形成されるように、孔１ｄを設け、１対の孔１ｄの間は、前記脚上部２の幅よりもやや大きい。そして、前記１対の孔１ｄの周縁の一部には、脚の回動を滑らかにする凸部１ｂを設ける。該枢支軸に直交する平面上の翼部には、係止部（第２の係止部）１ｃを設けるとよい。該係止部１ｃは、椅子用金具１の耐久性を向上させるために翼部１ｆの下端部を平面支持用に曲げ加工して形成するが、翼部１ｆの下端部を面取りや丸縁にしてもよい。また、翼部の面が、もう１つの係止部（第１の係止部）となる。
【００２２】
本発明の椅子の組立て方法について、図を参照して説明する。
【００２３】
図５は、シート部を省略した折り畳んだ状態の椅子の側面図であり、図６は、シート部を省略した脚を伸ばした状態の側面図である。図７は、シート部を省略した使用状態の椅子の平面図である。
【００２４】
先ず、椅子用金具１の筒状部と翼部との間に、脚上部２に脚下部３を入れ込んだ状態で、図５に示すように挿入する。脚上部２および脚下部３には、椅子用金具１の枢支軸と同一軸上に孔を備えている。
【００２５】
次に、該枢支軸の外側から椅子用金具１の中央に向かって、リベット４を挿入する。そして、椅子用金具１の中央および外側にリベット締着工具を配置して、前記リベット４を取り付ける。
【００２６】
脚上部２の他端に開けた孔２ａには、椅子のシート部を取り付ける（図１参照）。
【００２７】
本発明の椅子は、図５に示すように折り畳まれた状態では短く、非常にコンパクトである。
【００２８】
使用する際には、図６に示すように、脚上部２の中から、リベット４を枢支軸として脚下部３を回動させて引き出し、脚上部２と脚下部３とを直線状にする。脚上部２や脚下部３に、凸部や係止部を設けて脚下部３が図６の状態で留まるようにしてもよい。それから、椅子用金具１の前記係止部１ｃに脚上部２が当接する位置まで、それぞれの脚を拡げて、図１および図７に示すように組み立てて、自立させる。
【００２９】
従来のような３本の脚の椅子では、脚の上端が脚の接地部から外れるので、シート部の端に荷重を掛けた腰掛け方では、転倒してしまう。しかし、本発明の椅子は４本の脚で構成しているので、安定して自立し、シート部１０のほぼ全面に荷重をかけることができる。
【００３０】
【発明の効果】
本発明の椅子は、４本の脚で構成することにより、安定性がよい。
【００３１】
本発明の椅子用金具は、一体に形成されるので強固である。また、中央に四角い孔が形成されるため、リベット締着工具を容易に挿入することができる。従って、折り畳む際に脚を回動させる枢支軸に、リベットを使用することができ、ネジのように椅子用金具を減摩させることがなく、高い耐久性を得ることができる。また、脚の回動を滑らかにする凸部を設けたので、ワッシャやリング部材などの部品を省略することができるので、材料費が少なくて済む。
【００３２】
また、ネジによる組立てに対し、リベットのみで組立てることから、組立て工数が少なく、安価に製造することができるという顕著な効果を得られる。
【図面の簡単な説明】
【図１】本発明の一実施例の椅子を示す側面図である。
【図２】椅子用金具を示す平面図である。
【図３】椅子用金具を示す側面図である。
【図４】図２のＡ−Ａ断面矢視図である。
【図５】シート部を省略した折り畳んだ状態の椅子の側面図である。
【図６】シート部を省略した脚を伸ばした状態の側面図である。
【図７】シート部を省略した使用状態の椅子の平面図である。
【符号の説明】
１  椅子用金具
１ｂ  凸部
１ｃ  係止部
１ｄ  孔
１ｅ  筒状部
１ｆ  翼部
２  脚上部
２ａ  孔
３  脚下部
３ａ  切欠き部
４  リベット
１０  シート部
【図１】
0003588426.tif 000002
【図２】
0003588426.tif 000003
【図３】
0003588426.tif 000004
【図４】
0003588426.tif 000005
【図５】
0003588426.tif 000006
【図６】
0003588426.tif 000007
【図７】
0003588426.tif 000008